(57)【要約】【課題】装飾体の組付けが簡単に行なえ作業性が良くなると共に後側壁面のデザイン画に穴を開けずに済み見栄えが損なわれず、更にはリアルな立体感の有る装飾体が具現できる装飾装置部を提供する。【解決手段】遊技機Ｐまたは島台の各前面側に配設し、内部が視認可能な凹窪部１３を有し、凹窪部１３内には装飾体１４ａ〜１４ｃを配置した装飾装置部１２であって、凹窪部１３内に突設される保持片２８を備えたホルダー部材２５ａ，２５ｂを装飾装置部１２とは別体に設け、ホルダー部材２５ａ，２５ｂの保持片２８に装飾体１４ａ，１４ｂを取着し、また、凹窪部１３の底壁または天壁にホルダー部材２５ａ，２５ｂが嵌合する収容部２３を設け、ホルダー部材２５ａ，２５ｂを収容部２３に嵌合させて装飾体１４ａ〜１４ｃを凹窪部１３内に配置するようにした。【選択図】図５
2005137516.tif 000002
【特許請求の範囲】
【請求項１】
遊技機の前面側または該遊技機が設置される島台の前面側に配設し、内部が前側から視認可能な凹窪部を有し、前記凹窪部内には人形、自動車等を模した立体的な装飾体を配置した装飾装置部であって、
前記凹窪部内に突設される保持片を備えたホルダー部材を前記装飾装置部とは別体に設け、前記ホルダー部材の保持片に前記装飾体を取着し、また、前記凹窪部の底壁または天壁に前記ホルダー部材が嵌合する収容部を設け、前記ホルダー部材を前記収容部に嵌合させることにより前記装飾体を前記凹窪部内に配置するようにしたことを特徴とする装飾装置部。
【請求項２】
前記保持片は透明な部材により成形され、前記装飾体は凹窪部内に宙に浮いた状態で配置される請求項１記載の装飾装置部。
【発明の詳細な説明】
【技術分野】
【０００１】
この発明は、遊技機などの前面側に配設され、装飾的効果と視覚的な刺激を与えて遊技の興趣が高められるようにした装飾装置部に関するものである。
【背景技術】
【０００２】
従来、例えば遊技機の一種であるパチンコ遊技機には、遊技盤面に装飾装置部であるキャラクタ装飾部材が一体に組み込まれた可変表示器を取着したものがある。このキャラクタ装飾部材は、内部が前側から視認可能な凹窪部を有し、該凹窪部内に「ＵＦＯ」内部の意匠が施された内装部材、「ＵＦＯ」内の宇宙人の頭部の意匠が施されたキャラクタ部材、「ＵＦＯ」のウインド部分の意匠が施されたウインド部材、「ＵＦＯ」の本体の意匠が施された本体部材等が組み付けられる。そして、その内キャラクタ部材及び本体部材は後側に配置されるレンズ部材にビス止めされている（例えば、特許文献１参照。）。
【０００３】
また、遊技機の一種であるパチンコ遊技機が列設されるパチンコホールの島台に、各パチンコ遊技機に対応して装飾装置部である表示部材を組み込んだ表示装置が取着されている。この表示部材は、中央部に内部が前側から視認可能な凹窪部を有し、該凹窪部内に人形の形態を表した装飾体が後壁から前方へほぼ水平に突出する棒状の固定部材の先端部に前後方向へ回動自在に取り付けられ、ソレノイドと連係されて該ソレノイドの作動により可動するようになっている（例えば、特許文献２参照。）。
【特許文献１】特開２００２−３５２３２号公報（第７頁、図６）
【特許文献２】特開平７−２５５９３７号公報（第４頁、図２）
【発明の開示】
【発明が解決しようとする課題】
【０００４】
しかしながら、前記特許文献１のキャラクタ装飾部材では、本体部材がその後側に配置されるレンズ部材にビス止めされるが、狭い凹窪部内に比較的大きいキャラクタ部材が収容されしかもこの種レンズ部材は構造が複雑化していることから前記ビス止め作業がし難く、これら部材の組付けが面倒となって作業上能率が悪いという課題が有る。また、前記特許文献２の表示部材も、後側壁面から固定部材が前方へほぼ水平に突出され、該固定部材の先端部に装飾体が回動自在に取り付けられ構造が複雑であることから、前記と同様に装飾体の組付けが面倒であり作業上能率が悪い。しかも、後側壁面に所望のデザイン画が描かれていると、前記固定部材により穴を開けることになるので、見栄えが悪くなるという課題が有る。
【０００５】
そこで、本発明は上記課題を解決すべくなされたもので、ホルダー部材を装飾装置部とは別体に設けると共に該ホルダー部材に装飾体を取着し、このホルダー部材を前記装飾装置部における底壁または天壁の収容部に嵌合させることにより、装飾体の組付けが簡単に行なえ作業性が良くなると共に後側壁面にデザイン画を貼着するようにしても該デザイン画に穴を開けずに済み見栄えが損なわれず、更にはリアルな立体感の有る装飾体が具現できる装飾装置部を提供することを目的とするものである。
【課題を解決するための手段】
【０００６】
かかる目的を達成するため本発明に係る装飾装置部は、遊技機の前面側または該遊技機が設置される島台の前面側に配設し、内部が前側から視認可能な凹窪部を有し、前記凹窪部内には人形、自動車等を模した立体的な装飾体を配置した装飾装置部であって、前記凹窪部内に突設される保持片を備えたホルダー部材を前記装飾装置部とは別体に設け、前記ホルダー部材の保持片に前記装飾体を取着し、また、前記凹窪部の底壁または天壁に前記ホルダー部材が嵌合する収容部を設け、前記ホルダー部材を前記収容部に嵌合させることにより前記装飾体を前記凹窪部内に配置するようにした構成からなる。
【０００７】
前記保持片は透明な部材により成形され、前記装飾体は凹窪部内に宙に浮いた状態で配置されるようにすることが好ましい。
【発明の効果】
【０００８】
本発明の装飾装置部は、凹窪部内に突設される保持片を備えたホルダー部材を装飾装置部とは別体に設け、ホルダー部材の保持片に装飾体を取着し、また、凹窪部の底壁または天壁にホルダー部材が嵌合する収容部を設けるようにしたので、ホルダー部材を収容部に嵌合させるのみで装飾体が組みつけられ、装飾体の組付けが簡単に行なえ作業性が良くなる。また、後側壁面に貼着されるデザイン画に穴を開けずに済み見栄えが良いという効果がある。
【０００９】
また、保持片を透明な部材により成形し、装飾体を凹窪部内に宙に浮いた状態で配置するようにすれば、保持片が透明な部材からなるのでほとんど見えず、これにより装飾体が恰も宙に浮いているように見えリアルな立体感の有る装飾体が具現でき、視覚的な面白みが味わえて遊技の興趣を高めることができるという効果がある。
【発明を実施するための最良の形態】
【００１０】
以下、本発明に係る装飾装置部の実施の形態を図面に基づき説明する。本発明に係る装飾装置部は、パチンコ遊技機、パチスロ機、スロットマシン機、アレンジボール機、雀球遊技機等の遊技機、またはこれら遊技機が列設して装着されるパチンコホールの島台であって、これら前面側に設けられるものである。そこで、本発明にあっては、その一例としてパチンコ遊技機の遊技盤面に装着される可変表示器に組み込まれる場合について説明する。
【００１１】
図１は本発明が適用される可変表示器の正面図、図２は同斜視図、図３は同分解斜視図である。図において、Ａは可変表示器であり、後記する遊技盤５２面に取付けられる取付基板１を有する。取付基板１の中央に開口２が開設され、取付基板１の前側と後側に該開口２の周縁を囲うようにして支持枠３ａが装着されている。また、取付基板１の裏側に前面の表示部４が開口２に臨むようにして表示器本体５が配設されている。表示器本体５の前側にはその外周に前記支持枠３ａに合致して後側から連接されるほぼ同じ形状の支持枠３ｂが周設されている。また、表示部４の上方であって表示器本体５の前面に所望のデザインが表示されるシールを前面に貼着した装飾板６が取着されている。この装飾板６は後記する装飾装置部１２にほぼ合致するようになっている。
【００１２】
このように、支持枠３ａ，３ｂが前後に重なることにより表示部４の前側下方に、遊技球であるパチンコ球が転動する第１・第２ステージ７ａ，７ｂが設けられる。第１ステージ７ａは後側に配置され、上面が波状にうねって成形されると共に前側へ若干下傾している。また、中央部が低く成形されその両側前端縁にパチンコ球がそこから自由に落下しないように阻止する邪魔板８ａ，８ａが起立して設けられている。第２ステージ７ｂは、第１ステージ７ａの前側であってやや下方に配置され、前記と同様に中央部が低く成形されその両側前端縁にパチンコ球がそこから自由に落下しないように阻止する邪魔板８ｂ，８ｂが起立して設けられている。
【００１３】
前記取付基板１前側の支持枠３ａであって、その一側上面に球入口９が開設されている。この球入口９は、開口２の同側に立設して配置される空洞状の柱部１０内部と連通し、該柱部１０の下端裏側にはその内部と連通する球出口１１が開設されている。この球出口１１は前記第１ステージ７ａの上面に連なるようになっている。
【００１４】
そこで、前記球入口９に入ったパチンコ球は空洞状の柱部１０内を流下して球出口１１から第１ステージ７ａの上面に排出され、今度は第１ステージ７ａ上面を中央へ寄せられながら転動する。そして、第１ステージ７ａの中央から前側の第２ステージ７ｂ上面に流下し、更にその前端縁から遊技盤５２面に落下する。通常、その下方の遊技盤５２面には、パチンコ球が入賞することにより前記表示器本体５の表示部４に表示される数字、記号等の表示を変動する後記するところの始動入賞口５６が装着され、前記第２ステージ７ｂから落下するパチンコ球が入賞する機会を多くしている。
【００１５】
前記開口２の上部に装飾装置部１２が設けられる。この装飾装置部１２は、内部が前側から視認可能な凹窪部１３を有し、該凹窪部１３内に人形、自動車等を模した複数の装飾体１４ａ〜１４ｃが横に並んだ状態で配置されている。これら装飾体１４ａ〜１４ｃは、通常、表示部４に表示される画像と関連のあるデザインに成形され、視覚を通して遊技の興趣を盛り上げるようにしている。本発明にあっては、例えば人に模した形状の装飾体１４ａ〜１４ｃが使用されるが、これに限られるものではない。
【００１６】
更に詳しく説明すると、前記開口２の内周縁であって両側に立設される柱部１０，１０の上端部にブロック部材１５，１５が配置されており、その間に凹窪部１３の下面を構成する底壁部材１６がほぼ水平に配置される。底壁部材１６は、中央が上方に孤状に湾曲すると共に両端に平板状の取付板１７，１７がほぼ水平に突設される。各取付板１７の外端面に水平な凹溝１８が設けられ、これらの凹溝１８，１８を前記ブロック部材１５，１５内面に設けられた水平な突条１９，１９に嵌め合わせることにより底壁部材１６が取付けられることになる。そして、前記支持枠３ａ，３ｂと底壁部材１６と奥端部の装飾板６とにより前面が開放した凹窪部１３が成形される。
【００１７】
また、前記開口２の一側に立設される柱部１０と支持枠３ａとの間に前記凹窪部１３と連なる空洞部２０が設けられ底部に水平な棚部２１が配置される。そして柱部１０上端のブロック部材１５の上面と棚部２１の上面にもそれぞれ人に模した装飾体１４ｄ，１４ｅが配置される。
【００１８】
前記底壁部材１６は、中央の底板部１６ａの後半部下側に後面が開放した収容部２３が形成され、その前側壁内面の両側にそれぞれ後方へ突出する一対のガイドピン２４，２４が所定の間隔離して平行に設けられている。図示は省略するが、一方のガイドピン２４の後端面に螺子孔が設けられ、前記表示器本体５の前面に当接して螺子止めされ底壁部材１６が固定されるようになっている。収容部２３には、左右側に２個のホルダー部材２５ａ，２５ｂが出し入れ自在に嵌合される。各ホルダー部材２５ａ，２５ｂは、透明な合成樹脂材により成形されている。
【００１９】
そして、一方のホルダー部材２５ａには、その上面に前記１組のガイドピン２４，２４が嵌入し得る凹溝２６，２６が設けられ、また所定の位置に上方へ突出しかつ先端部に螺子挿通孔２７が設けられた保持片２８が２個固着されている。これら保持片２８，２８も透明である。また、他方のホルダー部材２５ｂにも、その上面に前記１組のガイドピン２４，２４が嵌入し得る凹溝２６，２６が設けられ、また所定の位置に上方へ突出しかつ先端部に螺子挿通孔２７が設けられた保持片２８が１個固着されている。この保持片２８も透明である。前記両ホルダー部材２５ａ，２５ｂは、両凹溝２６，２６に両ガイドピン２４，２４を嵌入して後側から収容部２３に嵌合することにより、位置決めされて固定され横方向への無用なずれが生じないようにしている。また、この状態では、各ホルダー部材２５ａ，２５ｂの各保持片２８が底板部１６ａの上面から上方へ突出する。
【００２０】
前記各装飾体１４ａ〜１４ｅは、裏側に後方へ突出すると共に後端面に螺子孔２９を有する突起３０が設けられる。その内、３個の装飾体１４ａ〜１４ｃが各螺子孔２９を保持片２８先端部の螺子挿通孔２７に合致して、該螺子挿通孔２７を介して各螺子孔２９に螺子３１を螺締することにより固着される。この際、前記各突起３０の外周面にその中心軸線と平行な一対の突条３２，３２が突設される。そして、これら突条３２，３２の後端縁が前記各保持片２８の前面であり螺子挿通孔２７の外周に放射状に設けられる嵌合溝３３，３３に嵌り込み、装飾体１４ａ〜１４ｃの鉛直面内における無用な回転を防止するようにしている。
【００２１】
可変表示器Ａを組立てる場合、前記底壁部材１６の収容部２３に各装飾体１４ａ〜１４ｃを固着したホルダー部材２５ａ，２５ｂを嵌合し、この底壁部材１６が前記開口２の両ブロック部材１５，１５間に取り付けられる。これにより、前記各装飾体１４ａ〜１４ｃが凹窪部１３内に配置され、各保持片２８が透明な樹脂により成形されていることとも相まち横からでも見え難く、装飾体１４ａ〜１４ｃが恰も宙に浮いているような錯覚を覚えリアルな立体感を十分に現出できる。しかも、ホルダー部材２５ａ，２５ｂを収容部２３に嵌合するのみで装飾体１４ａ〜１４ｃが組み付けられ、装飾体１４ａ〜１４ｃの組付けが簡単に行なえ作業性が良くなると共に後側の装飾板６前面のデザイン画に穴をあけるといったこともなく見栄えが良い。
なお、ホルダー部材２５ａ，２５ｂを凹窪部１３の底壁である底壁部材１６に嵌合するようにしたが、天壁である支持枠３ａ側または天壁及び底壁の両方に跨るように設けてもよいこと勿論である。
【００２２】
前記ブロック部材１５の上面に配置される装飾体１４ｄと棚部２１の上面に配置される装飾体１４ｅは、いずれも前記したように後面に後方へ突出する突起３０が設けられる。一方、空洞部２０の奥端壁３４に螺子挿通孔３５が開設され、前記各突起３０の後端面に設けられる螺子孔２９を螺子挿通孔３５に合致させて後側から螺子挿通孔３５を介して螺子孔２９に螺子３１を螺締めすることにより、各装飾体１４ｄ，１４ｅが取付けられる。
【００２３】
図６は、本発明が適用されるパチンコ遊技機Ｐの正面図を示す。このパチンコ遊技機Ｐは、外枠５０の前面に前枠５１が装着され、該前枠５１に遊技盤５２が設置されている。また、前枠５１の前面に、前記遊技盤５２前面の遊技部５２ａが臨みガラス板で覆われる窓開口５３ａを備えた透明板保持扉５３とその下方に位置する前面板５４とが一側を支点としてそれぞれ開閉自在に軸着されている。
【００２４】
前記遊技盤５２の前面には、遊技部５２ａを囲うように内側のガイドレール５５ａと外側のガイドレール５５ｂとが渦巻き状に配設される。前記遊技盤５２の遊技部５２ａには、そのほぼ中央に本発明に係る可変表示器Ａが配置され、また、その下方に遊技球であるパチンコ球の入賞により可変表示器Ａの表示部４の文字、数字、図形等の表示を変動表示させる始動入賞口５６が配置される。更に、その下方に位置して前記変動した表示が一定の時間経過後に停止して特定の表示を示し、遊技者にとって有利な特別遊技状態になったとき、一定の条件の下で開閉扉５７ａを所定回数開成させ一度に多くの入賞球が得られる入賞装置５７が配置される。そして、遊技者は前記各装飾体１４ａ〜１４ｅを見て遊技を楽しむことになる。
【００２５】
以上のように本発明は、ホルダー部材２５ａ，２５ｂを装飾装置部１２とは別体に設けると共に該ホルダー部材２５ａ，２５ｂに装飾体１４ａ〜１４ｃを取着するようにしたから、これらホルダー部材２５ａ，２５ｂを底壁部材１６の収容部２３に嵌合させ、この底壁部材１６を装飾装置部１２に装着するのみで装飾体１４ａ〜１４ｃの組付けが簡単に行なえることになり、作業性も良くなる。
【００２６】
また、凹窪部１３の後側壁面に所望のデザインを書いた装飾板６を貼着するようにしても、該デザイン画に穴を開けずに済み見栄えが損なわれることがない。
【００２７】
更に、ホルダー部材２５ａ，２５ｂの保持片２８が透明な部材により成形され、装飾体１４ａ〜１４ｃは凹窪部１３内に宙に浮いた状態で配置されるので、各保持片２８が透明な部材からなりほとんど見えず、これにより装飾体１４ａ〜１４ｃが恰も宙に浮いているように見えリアルな立体感の有る装飾体が具現できる。
【図面の簡単な説明】
【００２８】
【図１】本発明が適用される可変表示器の正面図。
【図２】同斜視図。
【図３】同分解斜視図。
【図４】装飾体とホルダー部材の裏から見た分解斜視図。
【図５】図１のＸ−Ｘ線拡大断面図。
【図６】可変表示器が備えられたパチンコ遊技機の正面図。
【符号の説明】
【００２９】
１２              装飾装置部
１３              凹窪部
１４ａ〜１４ｅ    装飾体
２３              収容部
２５ａ，２５ｂ    ホルダー部材
２８              保持片
Ｐ                遊技機（パチンコ遊技機）
【図１】
2005137516.tif 000003
【図２】
2005137516.tif 000004
【図３】
2005137516.tif 000005
【図４】
2005137516.tif 000006
【図５】
2005137516.tif 000007
【図６】
2005137516.tif 000008